(57)【要約】【課題】しっかりして耐久性のある構造を提供する、３次元カップ成形部材が予め形作られたブラジャーカップを提供する。【解決手段】本発明のブラジャーカップは、３次元カップ成形部材と、３次元カップ成形部材の凸面に配置された第１の材料および／または第２の材料からなる少なくとも１つの層と、３次元カップ成形部材の凹面に配置された第１の材料および／または第２の材料からなる少なくとも１つの層を有する。【選択図】図４
2015105460.tif 000002
【特許請求の範囲】
【請求項１】
３次元カップ成形部材と、
前記３次元カップ成形部材の凸面に配置された少なくとも１つの第１の材料および／または第２の材料からなる層と、
前記３次元カップ成形部材の凹面に配置された少なくとも１つの第１の材料および／または第２の材料からなる層を有する、
ことを特徴とするブラジャーカップ。
【請求項２】
前記３次元カップ成形部材は、ポリマーまたは発泡体から作られる、請求項１に記載のブラジャーカップ。
【請求項３】
前記３次元カップ成形部材は、所望のサイズおよび／または形状に従って形作られる、請求項１または２に記載のブラジャーカップ。
【請求項４】
前記３次元カップ成形部材は、所望のサイズおよび／または形状に従って削られる、請求項１または２に記載のブラジャーカップ。
【請求項５】
前記第１の材料は、布、ポリマーまたは発泡体である、請求項１または２に記載のブラジャーカップ。
【請求項６】
前記第２の材料は、布、ポリマーまたは発泡体である、請求項１または２に記載のブラジャーカップ。
【請求項７】
前記第１の材料からなる少なくとも１つの層は、縫合、融合、締結、接着および／または成形により前記３次元カップ成形部材に結合される、請求項１または２に記載のブラジャーカップ。
【請求項８】
前記第２の材料からなる少なくとも１つの層は、縫合、融合、締結、接着および／または成形により前記３次元カップ成形部材に結合される、請求項１または２に記載のブラジャーカップ。
【請求項９】
ブラジャーカップの製造方法であって、
（ａ）所望のサイズおよび／または形状に従って３次元カップ部材を設計し形作るステップと、
（ｂ）３次元カップ成形部材の凸面に第１の材料および／または第２の材料からなる少なくとも１つの層を配置するステップと、
（ｃ）前記３次元カップ成形部材の凹面に第１の材料および／または第２の材料からなる少なくとも１つの層を配置するステップと、
（ｄ）前記第１の材料および／または第２の材料からなる層を前記３次元カップ成形部材に縫い合わせ、融合させ、締結し、接着し、および／または成形するステップと、を有することを特徴とする方法。
【発明の詳細な説明】
【技術分野】
【０００１】
本発明は、ブラジャーカップに関する。より詳細には、本発明は、特別に成形された３次元カップ成形部材を有するブラジャーカップおよび特別に成形された３次元カップ成形部材を用いるブラジャーカップの製造方法に関するが、これに限定されない。
【背景技術】
【０００２】
本発明の目的は、標準形状および／またはサイズに従って形成されたブラジャーカップの形状を改良することである。特に、本発明の目的は、しっかりして耐久性のあるブラジャーカップを提供することである。
【０００３】
ブラジャーカップを作る従来の方法は、材料の層（１層または複数）を同じまたは他の材料からなる平らな２次元層（１層または複数）上に置き、次いで、結合された材料層を縫い合わせ、融合させ、締結し、接着し、および／または成形することによって、３次元ブラジャーカップに変形させる。
【発明の概要】
【０００４】
本発明は、しっかりして耐久性のある構造を提供する、３次元カップ成形部材が予め形作られたブラジャーカップに関する。
【０００５】
３次元カップ成形部材と、３次元カップ成形部材の凸面上に配置された第１の材料および／または第２の材料からなる少なくとも１つの層と、３次元カップ成形部材の凹面上に配置された第１の材料および／または第２の材料からなる少なくとも１つの層を有するブラジャーカップがここに開示される。
【０００６】
好ましくは、３次元カップ成形部材は、ポリマーまたは発泡体から作られる。
【０００７】
３次元カップ成形部材は、所望のサイズおよび／または形状に従って形作られることが好ましい。
【０００８】
好ましくは、３次元カップ成形部材は、所望のサイズおよび／または形状に従って削られる。
【０００９】
第１の材料／第２の材料は、布、ポリマーまたは発泡体である。
【００１０】
好ましくは、第１の材料／第２の材料の少なくとも１つの層は、縫合、融合、締結、接着および／または成形により３次元カップ成形部材に結合される。
【００１１】
更に、以下のステップを有するブラジャーカップの製造方法がここに開示される。
（ａ）所望のサイズおよび／または形状に従って３次元カップ部材を設計し形作るステップと、
（ｂ）３次元カップ成形部材の凸面上に第１の材料および／または第２の材料からなる少なくとも１つの層を配置するステップと、
（ｃ）３次元カップ成形部材の凹面上に第１の材料および／または第２の材料からなる少なくとも１つの層を配置するステップと、
（ｄ）第１の材料および／または第２の材料からなる層を３次元カップ成形部材に、縫い合わせ、融合させ、締結し、接着し、および／または成形するステップ。
【００１２】
第１の材料および／または第２の材料からなる層を３次元カップ成形部材に結合するために様々な他の方法を用いることができ、それらもまた本発明の範囲内であることが理解されるであろう。
【図面の簡単な説明】
【００１３】
【図１】ブラジャーカップを作る２次元層の斜視図である。
【図２】図１の２次元層から作られた従来技術のブラジャーの斜視図である。
【図３】本発明の実施形態によるブラジャーカップを作る層間に配置された３次元カップ成形層の斜視図である。
【図４】図３の３次元カップ成形層から作られたブラジャーの斜視図である。
【発明を実施するための形態】
【００１４】
本発明の好ましい形態を、添付図面を参照して例示として記載する。
【００１５】
添付図面の図１および２において、従来技術のブラジャーカップ１０を形成するために用いられる平らな２次元層２０、３０、４０、および５０が描かれている。
【００１６】
層２０、３０、４０、および５０は、サンドイッチの形態で置かれている。縫い合わせ、融合させ、締結し、接着し、および／または成形することによって結合された層２０、３０、４０、および５０は、３次元ブラジャーカップを形成するように曲げられる。工程の性質により、曲げるときに層２０、３０、４０、および５０の少なくともいくつかは伸ばされ、完成した３次元ブラジャーカップの厚さが不均一になる。その結果、完成した３次元ブラジャーカップ１０の、ブラジャーカップ１０の頂点／先端領域７０のようないくつかの部分は、他の部分よりも薄くなり脆くなる。ブラジャーカップ１０の頂点／先端領域７０が薄いので、ブラジャーカップ１０の着用者の乳頭の形状が外側から頂点／先端領域７０を通して見えてしまうことがある。
【００１７】
図３および４は、層１１０、１２０と１４０、１５０の間に配置された３次元カップ成形部材１３０を有する本発明の３次元ブラジャーカップ１００の実施形態を示す。３次元カップ成形部材１３０は、所望のサイズおよび／または形状に従って予め成形／形作られる。この実施形態では、３次元カップ成形部材は、所望のサイズおよび／または形状に従って削られる。
【００１８】
層１１０、１２０、および１４０、１５０は、布、ポリマー、発泡体またはいかなる適当な材料で作ることができる。縫合、融合、締結、接着および／または成形によって（縫合、融合、締結、接着、成形の少なくとも１つによって）、層１１０、１２０、１４０、１５０は、１つずつまたは一緒に３次元カップ成形部材１３０上に結合されて、３次元ブラジャーカップ１００を形成する。
【００１９】
３次元カップ成形部材１３０は予め成形／形作られるので、３次元ブラジャーカップ１００全体に一定の厚さを可能にするしっかりした構造を形成される３次元ブラジャーカップに提供する。その結果、頂点／先端領域１７０は伸ばされず、乳頭が見えるほど薄くならない。
【００２０】
従って、本発明は、記載された実施形態に限定されるものではなく、上記文言によって示唆される全ての範囲およびその均等物を含むものである。
【図１】
2015105460.tif 000003
【図２】
2015105460.tif 000004
【図３】
2015105460.tif 000005
【図４】
2015105460.tif 000006